(57)【要約】      （修正有）【課題】スタジオ設備コストを低減して臨時サービスを放送出来る自動番組送出制御設備及びその臨時サービス番組送出方法ならびに放送スケジュール管理装置を提供する。【解決手段】ＳＣＰ２は、ＣＰＵ２１がネットワークと通信Ｉ／Ｆ（インタフェース）２２を介しＤＳ１や入力部から入力する番組時刻表や臨時サービスのデータを記憶装置であるデータベース２３０の動作時刻テーブル２３ａ〜２３ｎに書き込み編集し、またテーブル２３ｘに入力部から入力された臨時サービスに係わるデータを編集し、臨時サービスに備えて臨時サービス放送用の番組信号を扱う放送装置の候補を書き込み記憶し、時計２４を参照しつつこれらのテーブルを読み出して所定の時刻になると通常のサービスの番組と併せて臨時サービスの番組を放送する制御信号をネットワークを介して周辺装置へ向けて送信する。【選択図】図３
2007053547.tif 000002
【特許請求の範囲】
【請求項１】
接続された上位のデータサーバ（ＤＳ）から放送する番組時刻表の情報が入力され、複数の放送装置間の接続を選択的に切換えて放送番組信号を送信器へ向けて出力するデジタル放送の自動番組送出制御装置において、
時計と、
前記複数の放送装置間の接続を選択的に切換えるスイッチャと、
前記番組時刻表の編集、又は、前記機放送番組信号の制御にかかる情報を入力する入力部と、
前記入力される番組時刻表の情報から前記各放送装置の動作時刻表のテーブルを編集作成するとともに、前記編集された前記動作時刻表から時刻に対応して臨時サービスの放送番組信号を入出力する前記放送装置の候補をリストにしたテーブルを編集作成し、前記入力部から前記臨時サービスの放送を行うコマンド及びデータが入力された場合、前記編集作成されたテーブルと前記時計とを参照して前記放送装置の候補へ当該臨時サービスの放送時間に動作開始又は終了する制御信号を送信するとともに、前記スイッチャへ前記放送装置の候補の間を接続して当該臨時サービスの放送番組信号を前記送信器へ向けて出力する制御信号を送信する放送スケジュール管理装置とを
備えることを特徴とする自動番組送出制御装置。
【請求項２】
接続された上位のデータサーバから放送する番組時刻表の情報が入力され、複数の放送装置を選択的に切換えて放送番組信号を送信器へ向けて出力するデジタル放送の自動番組送出制御装置において、
時計と、
前記複数の放送装置間の接続を選択的に切換えるスイッチャと、
前記番組時刻表の編集、又は、前記機放送番組信号の制御にかかる情報を入力する入力部と、
前記入力される番組時刻表の情報から前記各放送装置の動作時刻表のテーブルを編集作成するとともに、前記編集された前記動作時刻表から全前記放送装置の動作時刻一覧表を作成し、前記動作時刻一覧表から時刻毎に待機状態にある前記放送装置を検索することにより時刻に対応して臨時サービスの放送番組信号を入出力する前記放送装置の候補をリストにしたテーブルを編集作成し、前記入力部から前記臨時サービスの放送を行うコマンド及びデータが入力された場合、前記編集作成されたテーブルと前記時計とを参照して前記放送装置の候補へ当該臨時サービスの放送時間に動作開始又は終了する制御信号を送信するとともに、前記スイッチャへ前記放送装置の候補の間を接続して当該臨時サービスの放送番組信号を前記送信器へ向けて出力する制御信号を送信する放送スケジュール管理装置とを
備えることを特徴とする自動番組送出制御装置。
【請求項３】
前記各放送装置の動作時刻表のテーブル、及び全前記放送装置の動作時刻一覧表は、デジタル放送のＨＤ、ＳＤ１、ＳＤ２の各サービス用として設定され、
前記リストされた臨時サービス用の放送装置の候補は、前記ＳＤ２のサービス用として設定された放送装置から優先して選択されることを特徴とする請求項２記載の自動番組送出制御装置。
【請求項４】
時計と、前記複数の放送装置間の接続を選択的に切換えるスイッチャと、
前記番組時刻表の編集、又は、前記機放送番組信号の制御にかかる情報を入力する入力部とを備え、接続された上位のデータサーバ（ＤＳ）から入力される放送する番組時刻表の情報によって前記スイッチャが複数の放送装置の間の接続を切換えて放送番組信号を送信器へ向けて出力するデジタル放送の自動番組送出制御装置の放送スケジュール管理装置において、
前記入力される番組時刻表の情報から前記各放送装置の動作時刻表のテーブルを編集作成するとともに、前記編集された前記動作時刻表から全前記放送装置の動作時刻一覧表を作成し、前記動作時刻一覧表から時刻毎に待機状態にある前記放送装置を検索することにより時刻に対応して臨時サービスの放送番組信号を入出力する前記放送装置の候補をリストにしたテーブルを編集作成し、前記入力部から前記臨時サービスの放送を行うコマンド及びデータが入力された場合、前記編集作成されたテーブルと前記時計とを参照して前記放送装置の候補へ当該臨時サービスの放送時間に動作開始又は終了する制御信号を送信するとともに、前記スイッチャへ前記放送装置の候補の間を接続して当該臨時サービスの放送番組信号を前記送信器へ向けて出力する制御信号を送信する
ことを特徴とする放送スケジュール管理装置。
【請求項５】
前記各放送装置の動作時刻表のテーブル、及び全前記放送装置の動作時刻一覧表は、デジタル放送のＨＤ、ＳＤ１、ＳＤ２の各サービス用として設定され、
前記リストされた臨時サービス用の放送装置の候補は、前記ＳＤ２のサービス用として設定された放送装置から優先して選択されることを特徴とする請求項４記載の放送スケジュール管理装置。
【請求項６】
接続された上位のデータサーバから放送する番組時刻表の情報が入力されるデジタル放送の自動番組送出制御装置の臨時サービス番組送出方法において、
前記自動番組送出制御装置は、放送スケジュール管理装置と、時計と、放送番組信号を入出力する複数の放送装置と、前記複数の放送装置の間の接続切換を行うスイッチャと、前記番組時刻表の編集、又は、前記機放送番組信号の制御にかかる情報を入力する入力部とを備え、
前記放送スケジュール管理装置は、前記データサーバから番組時刻表の情報を受信すると、受信した前記番組時刻表の情報から前記各放送装置の動作時刻表のテーブルを編集作成し、
前記編集作成された前記動作時刻表から前記全放送装置の動作時刻一覧表を作成し、
前記作成された前記動作時刻一覧表から時刻毎に待機状態にある前記放送装置を検索して時刻に対応して臨時サービスの放送番組信号を入出力する前記放送装置の候補をリストにしたテーブルを編集作成し、
前記入力部から前記臨時サービスの放送を行うコマンド及びデータが入力された場合、前記編集作成されたテーブルと前記時計とを参照して前記放送装置の候補へ当該臨時サービスの放送時間に動作開始又は終了する制御信号を送信するとともに、前記スイッチャへ前記放送装置の候補の間を接続して当該臨時サービスの放送番組信号を前記送信器へ向けて出力する制御信号を送信する
ことを特徴とする臨時サービス番組送出方法。
【請求項７】
前記各放送装置の動作時刻表のテーブル、及び全前記放送装置の動作時刻一覧表は、デジタル放送のＨＤ、ＳＤ１、ＳＤ２の各サービス用として設定され、
前記リストされた臨時サービス用の放送装置の候補は、前記ＳＤ２のサービス用として設定された放送装置から優先して選択されることを特徴とする請求項６記載の臨時サービス番組送出方法。
【発明の詳細な説明】
【技術分野】
【０００１】
本発明は、デジタル放送の自動番組送出制御設備及びその臨時サービス番組送出方法、ならびに放送スケジュール管理装置に関する。
【背景技術】
【０００２】
放送局では、ニュースや映画、広告などの放送（オンエア）する番組素材信号を送出する機器は、予め作成された番組時刻表によって設定される。そして、自動番組送出制御設備（以下、ＡＰＣと称する。）は、番組時刻表に指定された機器から番組素材信号を送信器へ向けて出力する制御を行う。
【０００３】
この番組時刻表は、ＡＰＣに接続された上位のＤＳ（データサーバ）から供給され、各番組素材信号を出力する機器の動作時刻が設定されている。しかし、機器が故障、または保守を行うは、ＤＳが供給する番組時刻表に記載された機器を交換する機器に書き換える変更をしなければならない。
【０００４】
そこで、ＡＰＣに接続されて制御される機器を機器番号毎に交換可能な状態であるかを判別できるよう、オペレータがスイッチで設定した状態表示をテーブルに書き込み、ＡＰＣは、このテーブルを番組時刻表の代わりに読み出すことにより機器の交換を管理して番組信号を出力する方法がある（例えば、特許文献１。）。
【０００５】
しかし、この様な方法で有ってもデジタル放送では、取り扱う番組素材信号や情報、機器が複雑に組み合わされ、上記の方法では、迅速性に欠けると共にオペレータの誤設定による誤接続が生じる問題があった。
【０００６】
デジタル放送は、ＨＤ（高精細）、ＳＤ（標準）の放送信号を切替え、または組合せてひとつの放送チャネルで同じ時間に複数の番組が送信でき、最大３つのＳＤ番組を放送出来る機能を有している。
【０００７】
放送局では、これらの通常編成のサービスのほかに、更に通常の放送を続けたまま同時に別の番組を放送する臨時放送サービスがあり、臨時サービス開始に伴う速やかな対応を確実にするため４つのサービス系統の放送設備を備えなければならない。
【０００８】
図１３は、従来の放送局のスタジオに設置されるデジタル放送の放送設備の機器系統図である。  
図１３において、従来のデジタル放送の放送設備は、データサーバ（以下ＤＳと称する。）１００、ＳＣＰ（スケジュール  コントロール  プロセッサ）２００、ＨＤ制御部３００、ＳＤ２制御部３１０、臨時Ｓ（サービス）制御部３２０、各種の放送装置である複数の周辺機器４００、多重伝送部（以下、ＭＵＸと称する、）５００、局内時計６００と、以上の各構成の間を接続するネットワーク７００を備えている。
【０００９】
ＨＤ制御部３００、ＳＤ２制御部３１０、臨時Ｓ（サービス）制御部３２０は、それぞれＨＤ・ＳＤ１、ＳＤ２、臨時サービスの番組の制御情報を入力する入力部であり、臨時Ｓ（サービス）制御部３２０は、臨時サービスの設定に必要な番組スケジュール変更や放送装置の動作変更に関するコマンドやデータがＡＰＣのオペレータによって入力される。
【００１０】
また、以上の他に、周辺装置４００に相当する放送設備としてデジタル放送の番組素材信号を供給するＶＴＲやカメラ、サブスタジオ等があり、これらは各サービス共通の設備であるので以下では素材部４１０と一括して取扱いＡＰＣの処理動作を説明する。
【００１１】
ここでＡＰＣは、以上の構成のうちＳＣＰ２００と、入力部３００と、ネットワーク７００と、後に説明する図１４に示されるＲＴＰ（リアルタイムプロセッサ）、およびスイッチャｓｗｈとにより構成されるものとする。
【００１２】
データサーバ１００は、番組編集の管理を行い、番組と周辺機器の番組時刻表の様な動作設定データをＳＣＰ２００へ供給する。ここでは、ＤＳ１００とＳＣＰ２００は、独立した系統で接続されているがネットワーク７００を介して接続されるものであっても良い。
【００１３】
ＳＣＰ２００は、ＤＳ１００からネットワーク７００を介して供給される番組時刻表に基づく機器動作割り当て情報と、局内時計６００とを参照することにより、所定の周辺装置４００を選択して番組時刻表の所定の時刻にＭＵＸ５００へオンエアするための番組素材信号を出力する制御が行われる。
【００１４】
各番組信号を入出力する複数の周辺機器４００は、各ＨＤ・ＳＤ１、ＳＤ２および、臨時サービスの系統の３＋１のグループの系統と、共通の素材部に纏められる。
【００１５】
図１４は各サービス系統にグループ化された周辺機器４００の機能構成を示すブロック図である。  
図１４において周辺機器４００は、ＨＤ・ＳＤ１、ＳＤ２および、臨時サービスの専用の機材として割り付けられている。
【００１６】
各サービスの系統のそれぞれの周辺装置４００は、基本的機能構成として、例えば、符号化装置、ダウンコンバータ、ＣＭバンク等の放送装置と、放送装置毎に準備されるＳＣＰ２００から送信される制御信号により当該放送装置をリアルタイムで制御するＲＴＰ（リアルタイムプロセッサ）と、各放送装置間または、各放送装置とＭＵＸ５００との間を選択的に接続して番組素材信号入出力するスイッチャとを有している。
【００１７】
上記の様に各周辺機器４００は、番組素材信号を処理する符号化装置、ダウンコンバータ、ＣＭバンク等の放送装置と、ＲＴＰと、およびスイッチャの組合せが１つの機材の単位として構成された装置と見なしている。
【００１８】
図１４のＨＤ・ＳＤ１サービス系統の周辺機器には、放送装置（ＣＭバンク）４ｈ１、放送装置（ダウンコンバータ）４ｈ２と、ＨＤ（精細映像）符号化を行う放送装置（符号化装置）４ｈｃとＳＤ（標準映像）符号化を行う放送装置（符号化装置）４ｈｓ、スイッチャｓｗｈがあり、それらの放送装置には、ＲＴＰ（リアルタイムプロセッサ）ｒｈ１、ｒｈ２、ｒｈｃ、ｒｓ２およびｒｈｓがそれぞれ接続される。
【００１９】
スイッチャｓｗｈには、これらの放送装置４ｈ１、４ｈ２、４ｈｃ、４ｈｓが、および素材部４１０が接続され、各ＲＴＰには、ＳＣＰ２００からの制御信号がネットワーク７００を介して入力され、ＲＴＰｒｈｓは、スイッチャｓｗｈが前述のどの放送装置の間で信号入出力を行うかのリアルタイム制御を行う制御信号が入力される。
【００２０】
ＨＤ、およびＳＤ１サービスでは、素材部４１０、即ち、共通なＶＴＲやカメラが同じ素材信号から符号化速度が異なる信号を生成して別系統として出力しているので、ここではＨＤ・ＳＤ１サービス系統として表現する。そのうちＳＤ１サービス系は、スイッチャｓｗｈを介して素材部４１０から供給された信号がダウンコンバータ４ｈ２へ入力され、そして、速度変換された信号が再びスイッチャｓｗｈを介してＳＤ符号化する符号化装置４ｈｓへ出力される。
【００２１】
一方、ＨＤサービス系では、素材信号がダウンコンバータ４ｈ２を通ることなくスイッチャｓｗｈからＨＤの符号化装置４ｈｃへ入力される。そして、ＳＤ１、ＨＤ符号化された番組（映像）信号は、スイッチャｓｗｈ経由ＭＵＸ５００へ出力され、他の、例えばＳＤ２サービスが放送される場合にはＳＤ２サービスの番組信号とＭＵＸ５００で多重された後、送信器へ向けて送信される。
【００２２】
また、図１４では、広告コンテンツを収納したＣＭバンクがサービス系統毎に備えられ、番組時刻表所定のタイミングでスイッチャｓｗｈを介してＭＵＸ５００を経由して広告放送用の番組信号が送信器へ向けて出力される。他のＳＤ２、臨時サービス系統でも機能構成は、ＳＤ１サービス系統と同様であり、構成の詳細と通常動作の場合の処理概要の説明は、上記の各説明から容易に類推できるので省略する。
【００２３】
臨時サービス実行時、ＡＰＣのオペレータは、臨時Ｓ部３２０からＳＣＰ２００（又は、ＤＳ１００）に対して、ＨＤ・ＳＤ１のサービス（ＳＤ２サービスが放送されていればそれも併せて）の番組信号に加えて、臨時サービスの信号を選択して出力するように、番組信号の追加、スケジュール変更のコマンドやデータを入力する。
【００２４】
ＳＣＰ２００は、ネットワーク７００を介して臨時Ｓ部３２０からコマンドを受信する。そしてＳＣＰ２００は、このコマンド等に対応した放送装置を選択し、設定された臨時サービスのオンエア時刻に放送する制御信号をネットワーク７００を介して各ＲＴＰへ送信する。
【００２５】
臨時サービスが開始されると、図１４のスイッチャｓｗｒを介して、素材部４１０や放送装置（ＣＭバンク）４ｒ１からの番組信号が臨時サービス用の放送装置（符号化装置）４ｈｓ等を介してＭＵＸ５００へ出力されて、通常のサービスと同時にオンエアされる。
【００２６】
従来のデジタル放送システムでは、放送頻度は低いにも拘わらず、何時でも臨時サービスが放送されても良い様に放送装置（ＣＭバンク）４ｒ１や放送装置（符号化装置）４ｒｓの様な臨時サービス専用の周辺機器を準備しなければならず、スタジオ装置のコストがかかる問題があった。
【特許文献１】特開平４−６９６３号公報  （第３頁、第１図）
【発明の開示】
【発明が解決しようとする課題】
【００２７】
従来のデジタル放送では、放送頻度は低いにも拘わらず、何時でも臨時サービスが放送されても良いように、臨時サービス用の周辺機器を備えておかねばならず、スタジオ設備のコストがかかる問題があった。
【００２８】
本発明は上記問題を解決するためになされたもので、スタジオ設備コストを低減して臨時サービスを放送出来る自動番組送出制御設備及びその臨時サービス番組送出方法ならびに放送スケジュール管理装置を提供することを目的とする。
【課題を解決するための手段】
【００２９】
上記目的を達成するために、本発明の自動番組送出制御装置は、接続された上位のデータサーバ（ＤＳ）から放送する番組時刻表の情報が入力され、複数の放送装置間の接続を選択的に切換えて放送番組信号を送信器へ向けて出力するデジタル放送の自動番組送出制御装置において、時計と、前記複数の放送装置間の接続を選択的に切換えるスイッチャと、前記番組時刻表の編集、又は、前記機放送番組信号の制御にかかる情報を入力する入力部と、前記入力される番組時刻表の情報から前記各放送装置の動作時刻表のテーブルを編集作成するとともに、前記編集された前記動作時刻表から時刻に対応して臨時サービスの放送番組信号を入出力する前記放送装置の候補をリストにしたテーブルを編集作成し、前記入力部から前記臨時サービスの放送を行うコマンド及びデータが入力された場合、前記編集作成されたテーブルと前記時計とを参照して前記放送装置の候補へ当該臨時サービスの放送時間に動作開始又は終了する制御信号を送信するとともに、前記スイッチャへ前記放送装置の候補の間を接続して当該臨時サービスの放送番組信号を前記送信器へ向けて出力する制御信号を送信する放送スケジュール管理装置とを備えることを特徴とする自動番組送出制御装置。
【００３０】
また、本発明の放送スケジュール管理装置は、時計と、前記複数の放送装置間の接続を選択的に切換えるスイッチャと、前記番組時刻表の編集、又は、前記機放送番組信号の制御にかかる情報を入力する入力部とを備え、接続された上位のデータサーバ（ＤＳ）から入力される放送する番組時刻表の情報によって前記スイッチャが複数の放送装置の間の接続を切換えて放送番組信号を送信器へ向けて出力するデジタル放送の自動番組送出制御装置の放送スケジュール管理装置において、前記入力される番組時刻表の情報から前記各放送装置の動作時刻表のテーブルを編集作成するとともに、前記編集された前記動作時刻表から全前記放送装置の動作時刻一覧表を作成し、前記動作時刻一覧表から時刻毎に待機状態にある前記放送装置を検索することにより時刻に対応して臨時サービスの放送番組信号を入出力する前記放送装置の候補をリストにしたテーブルを編集作成し、前記入力部から前記臨時サービスの放送を行うコマンド及びデータが入力された場合、前記編集作成されたテーブルと前記時計とを参照して前記放送装置の候補へ当該臨時サービスの放送時間に動作開始又は終了する制御信号を送信するとともに、前記スイッチャへ前記放送装置の候補の間を接続して当該臨時サービスの放送番組信号を前記送信器へ向けて出力する制御信号を送信することを特徴とする。
【００３１】
更に、本発明の臨時サービス番組送出方法は、接続された上位のデータサーバから放送する番組時刻表の情報が入力されるデジタル放送の自動番組送出制御装置の臨時サービス番組送出方法において、前記自動番組送出制御装置は、放送スケジュール管理装置と、時計と、放送番組信号を入出力する複数の放送装置と、前記複数の放送装置の間の接続切換を行うスイッチャと、前記番組時刻表の編集、又は、前記機放送番組信号の制御にかかる情報を入力する入力部とを備え、前記放送スケジュール管理装置は、前記データサーバから番組時刻表の情報を受信すると、受信した前記番組時刻表の情報から前記各放送装置の動作時刻表のテーブルを編集作成し、前記編集作成された前記動作時刻表から前記全放送装置の動作時刻一覧表を作成し、前記作成された前記動作時刻一覧表から時刻毎に待機状態にある前記放送装置を検索して時刻に対応して臨時サービスの放送番組信号を入出力する前記放送装置の候補をリストにしたテーブルを編集作成し、前記入力部から前記臨時サービスの放送を行うコマンド及びデータが入力された場合、前記編集作成されたテーブルと前記時計とを参照して前記放送装置の候補へ当該臨時サービスの放送時間に動作開始又は終了する制御信号を送信するとともに、前記スイッチャへ前記放送装置の候補の間を接続して当該臨時サービスの放送番組信号を前記送信器へ向けて出力する制御信号を送信することを特徴とする臨時サービス番組送出方法。
【発明の効果】
【００３２】
本発明によれば、スタジオ設備コストを低減して臨時サービスを放送出来る自動番組送出制御設備及びその臨時サービス番組送出方法ならびに放送スケジュール管理装置を提供することができる。
【発明を実施するための最良の形態】
【００３３】
以下、図面を参照して本発明の実施例を説明する。
【実施例】
【００３４】
図１は、本発明の実施例に係り放送局のスタジオに設置されるデジタル放送の放送設備の機器系統図である。  
図１において、デジタル放送の放送設備は、データサーバ（以下ＤＳと称する。）１、ＳＣＰ（放送スケジュール管理装置：Ｓｃｈｅｄｕｌｅ  Ｃｏｎｔｒｏｌ  Ｐｒｏｃｅｓｓｏｒ）２、ＨＤ制御部３０、ＳＤ２制御部３１、臨時Ｓ（サービス）制御部３２、各種の放送装置であるところの複数の周辺機器４、多重伝送部（以下、ＭＵＸと称する、）５、局内時計６と、以上の各構成の間を接続するネットワーク７とを備える。
【００３５】
ここでは、ＤＳ１とＳＣＰ２との間、およびＨＤ制御部３０、ＳＤ２制御部３１、臨時Ｓ制御部３２、局内時計６とＳＣＰ２との間は、ネットワーク７とは別の系統で接続されているがネットワーク７を介して接続されるものであっても良い。
【００３６】
通常の放送、および臨時サービスの放送は、自動番組送出制御設備（以下、ＡＰＣと称する。）によって各周辺装置からそれぞれ放送番組信号が所定の時刻に送信器へ向けて出力される。
【００３７】
以上の構成のうち、自動番組送出制御設備（以下、ＡＰＣと称する。）は、ここではＳＣＰ２、ＨＤ制御部３０、ＳＤ２制御部３１、臨時Ｓ（サービス）制御部３２と、ネットワーク７と、後に説明する図２に示されるＲＴＰ（リアルタイムプロセッサ）、およびスイッチャとにより構成されるものとする。
【００３８】
データサーバ１は、番組編集の管理を行うもので番組と機器の番組時刻表（動作情報）をＳＣＰ２へ供給する。
【００３９】
ＳＣＰ２は、供給された情報を元に各周辺機器４の動作時刻表を作成し、各周辺機器４の動作のスケジュール管理を行う。即ち、ＳＣＰ２は、作成した動作時刻表を元に制御信号をネットワーク７を介して各周辺機器４へ送信して、各周辺機器４の動作開始、終了を統合管理する。
【００４０】
ＨＤ制御部３０、ＳＤ２制御部３１、臨時Ｓ（サービス）制御部３２は、それぞれ各サービスの番組のオンエアを制御する入力部で、例えば、押しボタンスイッチや、タッチパネルディスプレイなどの部品や機材からなる。
【００４１】
そして、臨時Ｓ（サービス）制御部３２は、臨時サービスの設定に必要な番組スケジュール変更や放送装置の動作変更に関するコマンドやデータがＡＰＣのオペレータによって入力される。
【００４２】
また、以上の他に、周辺装置４に相当する周辺装置としてデジタル放送の番組素材信号を供給するＶＴＲやカメラ、記載されていないサブスタジオ等があるがこれらは各サービス共通の設備であるので、以下では素材部４１と一括して取扱いＡＰＣの処理動作を説明する。
【００４３】
ＳＣＰ２は、ＤＳ１からネットワーク７を介して供給される番組時刻表に基づく機器動作割り当て情報と、局内時計６とを参照することにより、所定の周辺装置４を選択して番組時刻表の所定の時刻にＭＵＸ５へオンエアするための番組素材信号を出力する制御が行われる。
【００４４】
図２は、周辺機器４を各サービス系統にまとめた機能構成を示すブロック図である。  
図２において周辺機器４は、ＨＤ・ＳＤ１、およびＳＤ２サービスの系統の２グループ化され、各サービス系統の機材にそれぞれ主として割り付けられている。しかし、本発明の実施例では臨時サービスは、従来と異なり専用機材を準備せずに他のサービス系統の周辺機器を利用することによりスタジオ装置コストを節減している。
【００４５】
図２において各サービスの系統のそれぞれの周辺装置４は、例えば、符号化装置、ダウンコンバータ、ＣＭバンク等の放送装置と、放送装置毎に準備されてＳＣＰ２から送信される制御信号により当該放送装置をリアルタイムで制御するＲＴＰ（リアルタイムプロセッサ）と、各放送装置間または、各放送装置とＭＵＸ５との間を選択的に接続して番組素材信号入出力するスイッチャとを有している。そして、放送装置とそのＲＴＰ、および各サービス系統でのスイッチャとの組合せが１つ機材の単位として構成された周辺装置と見なされている。
【００４６】
ＣＭバンクは、所定の放送番組の所定の時刻になると、その時刻に対応して予め内部の記憶装置に記憶していた広告放送の番組信号を出力するもので、いわば、映像サーバと考えても良い。そして、広告放送の番組信号、言い換えるとＣＭバンクからの番組信号は、サービス毎の番組スケジュールに従ってスイッチャにより素材部４１からの番組信号と所定の様々なタイミングで切換られてＭＵＸ５へ出力されて放送される
図２のＨＤ・ＳＤ１サービス系統の周辺機器には、放送装置（ＣＭバンク）４Ｈ１、放送装置（ダウンコンバータ）４Ｈ２と、ＨＤ（精細映像）符号化を行う放送装置（符号化装置）４ＨＣとＳＤ（標準映像）符号化を行う放送装置（符号化装置）４ＨＳ、スイッチャＳＷＨがあり、それらの放送装置には、ＲＴＰ（リアルタイムプロセッサ）ＲＨ１、ＲＨ２、ＲＨＣ、ＲＳ２およびＲＨＳがそれぞれ接続される。
【００４７】
スイッチャＳＷＨには、これらの放送装置４Ｈ１、４Ｈ２、４ＨＣ、４ＨＳが、および素材部４１が接続され、各ＲＴＰには、ＳＣＰ２からの制御信号がネットワーク７を介して入力され、ＲＴＰＲＨＳへは、スイッチャＳＷＨが前述のどの放送装置の間で信号入出力を行うかのリアルタイム制御を行う制御信号が入力される。
【００４８】
本実施例では、ＲＴＰは、放送装置１台毎に対応して準備されるもので、上記の如くＳＣＰ２からネットワーク７を介して受信する制御信号のタイミング指示に従って動作を開始、終了し、スイッチャＳＷＨとの接続や予め設定されたプログラムによって設定される各種動作を管理制御する。
【００４９】
なお、各ＲＴＰは、図１の様に自分と自分が制御する放送装置との間がネットワーク７、または専用のケーブル、バスライン等により接続されている。以下、特に必要が無い限りＲＴＰの動作については説明を省略し、ＳＣＰ２によって制御される各放送装置の名称、符号等を用いてＡＰＣの番組送出処理を説明する。
【００５０】
ＨＤ・ＳＤ１サービスでは、素材部４１、即ち、共通なＶＴＲやカメラが同じ素材信号から符号化速度が異なる信号を生成して別系統として出力している。即ち、ＳＤ１サービス系は、スイッチャＳＷＨを介して素材部４１から供給された信号がダウンコンバータ４Ｈ２へ入力され、そして再びスイッチャＳＷＨを介してＳＤ符号化する符号化装置４ＨＳへ出力される。
【００５１】
またＨＤサービス系では、素材信号がダウンコンバータ４Ｈ２を通ることなくスイッチャＳＷＨからＨＤの符号化装置４ＨＣへ入力される。そして、ＳＤ１、ＨＤの両符号化映像信号は、スイッチャＳＷＨ経由ＭＵＸ５へ出力され、他のサービスが放送される場合にはそのサービスの番組信号とＭＵＸ５で多重された後、送信器へ向けて送信される。
【００５２】
また、図２では、広告コンテンツを収納したＣＭバンクがサービス系統毎に備えられ、例えば、ＨＤサービスでは、番組時刻表所定のタイミングでコンテンツや広告放送の番組信号がスイッチャＳＷＨを介してＭＵＸ５へ出力される。他のＳＤ２、臨時サービス系統についての機能構成もＳＤ１サービス系統と同様であり、構成の詳細と通常動作の場合の処理概要の説明は、上記の各説明から容易に類推できるので省略する。
【００５３】
臨時サービス実行時、ＡＰＣのオペレータは、臨時Ｓ制御部３２からＳＣＰ２（又は、ＤＳ１）に対して、ＨＤ・ＳＤ１のサービス（ＳＤ２サービスが放送されていればそれも併せて）の番組信号に加えて、臨時サービスの番組信号を選択して出力するように番組信号の追加、放送時刻設定、スケジュール変更等のコマンドやデータを入力する。
【００５４】
ＳＣＰ２は、ネットワーク７を介して臨時Ｓ制御部３２からコマンド等を受信する。そしてＳＣＰ２は、このコマンド等に対応した放送装置を選択し、設定された臨時サービスのオンエア時刻に放送する制御信号をネットワーク７を介して各ＲＴＰへ送信する。
【００５５】
続いて、実施例における臨時サービス運用に関する動作時刻表の作成動作を以下に説明する。デジタル放送は、前述の如くＤＳ１から供給される時刻毎の機器動作情報からＳＣＰ２が作成した動作時刻表に従って周辺装置４が制御されて所定の番組や臨時サービス番組が放送される。
【００５６】
図３は、ＳＣＰ２の機能構成を示すブロック図である。  
図３において、ＳＣＰ２は、内部バス等でそれぞれが接続されているＣＰＵ２１、通信Ｉ／Ｆ（インタフェース）２２、記憶装置であるデータベース２３０、例えば、ネットワーク７を介して局内時計６から受信する時刻情報と同期して動作する時計２４とを備えている。
【００５７】
ＡＰＣの処理制御を行うＳＣＰ２のＣＰＵ２１は、番組の放送スケジュールを管理するために、内部バスを介してデータベース２３０との間で、各種のデータを書き込み、又は読み出しを行う。通信Ｉ／Ｆ２２は、ネットワーク７と、内部バスとの間で各種の情報や制御信号を入出力する。
【００５８】
記憶装置であるデータベース２３０は、ネットワーク７と通信Ｉ／Ｆ２２を介してＤＳ１から受信した番組情報等を記憶している。また、このデータベース２３０には、後述するようにＣＰＵ２１が受信した番組情報等を元に編集した各サービス用の放送装置４の動作時刻表２３ａ〜２３ｎ、および臨時サービス用機材として利用（待機）する放送装置の候補リスト２３ｘがテーブルになり記憶されている。
【００５９】
ＤＳ１からは、ＳＣＰ２へ放送番組とその放送番組に使用するキーとなる周辺装置４が指定される。例えば、１９：００から２１：００までは中継車Ａを用いた「プロ野球」放送を行う情報が通知される。ＳＣＰ２の、ＣＰＵ２１は、入力された情報を並べて周辺装置４を構成する各放送装置の動作時刻表のテーブル２３ａとして編集する（以下、特に必要が無い限り、テーブル２３ａ〜２３ｎについては、テーブル２３と省略する。）。
【００６０】
図４〜図１０は、図２の各周辺機器（放送装置）の動作時刻表の例である。  
また、図４〜図６の（ａ）は、臨時放送が予定される前、図４〜図６の（ｂ）は臨時放送が予定された時の動作時刻表である。
【００６１】
図４は、ＨＤ・ＳＤ１サービス系に主として使用される放送装置（ＣＭバンク＃１）４Ｈ１（以下、略してＣＭバンク＃１と記す。）放送装置（ダウンコンバータ）４Ｈ２の動作時刻表の例である。
【００６２】
図４（ａ）においてＣＭバンク＃１は、所定の番組に揃えて、広告番組が設定されているものであって、１９：００〜２１：００までは、プロ野球の中継が行われ、その間に「広告」の欄に記された、スポンサーの広告（例えば、Ａ社のスポット）の番組信号がスイッチャＳＷＨを介して出力される。また、同様に２１：００からも報道番組があり、それに併せて各社の広告が放送される。
【００６３】
なお、広告番組の出力タイミングは更に別の時刻表で微細に設定され、スイッチャＳＷＨにより番組素材信号である中継車Ａからの映像信号とＣＭバンクからの映像信号とが切り換えられてＭＵＸ５に向けて出力されているが、頻雑になるので広告番組の詳細時刻表についてはここでは省略する。
【００６４】
同じく図４（ａ）において放送装置（ダウンコンバータ）４Ｈ２は、スイッチャＳＷＨより切り換えられて入力されるＨＤの素材入力（例えば、１９：００〜２１：００は中継車Ａ。）の番組信号や広告の番組信号をＳＤのビットレートの映像信号に変換して出力する。
【００６５】
放送装置（ＣＭバンク）は、１番組毎に１台を用いても良いが、図４に表示されている期間では１台のＣＭバンク＃１に蓄積された所定の広告の放送番組が順次出力されている。
【００６６】
なお、言うまでもなく図４のテーブル２３には、記載された以外の時間には、更に別の放送装置を用いた放送番組が同様に表示されるものである。
【００６７】
図５は、当該時刻に図４の放送装置から供給される番組信号（映像信号）のＨＤとＳＤ１サービス用の符号化を行う、放送装置（符号化処理装置）４ＨＣ、４ＨＳの動作時刻表の例である。
【００６８】
図５（ａ）において、ＳＤ１サービスは、ＨＤサービスの放送内容を同時に供給するために用いられ、ＨＤ／ＳＤ１サービスは、ＶＴＲとカメラ等の素材部４１、またはＣＭバンク１からの同じ番組信号源を利用している。そして、番組信号は符号化速度がそれぞれのサービスに対応して出力されている。
【００６９】
更に、ＨＤサービスの放送装置（符号化処理装置）４ＨＣは、「１９：００〜１９：３０」と時刻「２３：００以降」の備考欄を見ると、「１０Ｍｂｐｓ」と記述されており、それ以外の時刻に於ける「Ｆｕｌｌ」の１８Ｍｂｐｓの符号化速度よりも遅くなっている。このことにより、その時刻ではＨＤサービスと併せて、８Ｍｂｐｓの速度の別のサービス（ＳＤ２）が同時放送されることがわかる。
【００７０】
図６は、スイッチャＳＷＨ、スイッチャＳＷＳの動作時刻表で、図中時刻欄に「●」マークが付されたのはＳＤ２サービス用のスイッチャＳＷＳである。  
図７は、ＳＤ２サービス系に主として使用される放送装置（ＣＭバンク）４Ｓ１、放送装置（ダウンコンバータ）４Ｓ２、図８は、ＳＤ２サービス用の放送装置（符号化装置）４ＳＳの動作時刻表である。  
ここで、図７、図８を参照すると、「１９：００〜１９：３０」の間は、ローカルニュース、「２３：００」以降は、「深夜映画」のＳＤ２サービスの放送があり、前者では、放送装置（サブスタジオＡ）から、後者では放送装置（ＶＴＲ＃３）からの番組信号を放送装置（符号化装置）４ＳＳが処理し、８ＭｂｐｓのＳＤ信号を出力していることが分かる。そして、図７と図８からＳＤ２サービスの放送装置は、放送時間の大半で待機状態に有ることが判読され、放送装置の使用効率が高くないことが分かる。
【００７１】
また、同様に図６（ａ）からもＳＤ２サービス用のスイッチャＳＷＳも同様に待機状態で使用されていない時間が長いことが分かる。
【００７２】
本発明の実施例は、この様に待機状態にあるＳＤ２サービスの周辺機器を臨時サービスに利用することにより、臨時サービス専用の放送装置を省略して、スタジオ設備コストを下げている。
【００７３】
上記の各放送装置の動作時刻は、前述の如くＤＳ１からＳＣＰ２へ送信されるが、ＳＣＰ２は、全放送装置の動作時刻情報を一覧できるテーブル２３ｎを作成し、オンエアする時刻に所定の放送装置を選択し、ネットワーク７を介して当該放送装置のＲＴＰへ向けて動作開始、終了等の制御信号を送信する制御を行う。
【００７４】
図９は、全放送装置の動作時刻を一覧にしたテーブル２３ｎである。  
図９では、放送装置を、例えば、ＣＭバンク、ダウンコンバータ、符号化装置のように幾つかの機能グループ毎に分類してリスト化している。テーブル２３ｎで各機能グループの「＊」マークの列は、このテーブル２３ｎには記載されていないが、幾つか使用される放送装置があることを示している。
【００７５】
また、図９には示されていないが、各放送装置は、ＨＤ、ＳＤ１、ＳＤ２サービスのどの用途向けの放送装置（機器）で有るかの区別が、その放送装置のＩＤ（識別情報、例えば、放送装置の符号の４Ｈ１、４ＳＳ、４Ｓ１ｂ等）と対応してテーブル２３に記録されている。なお、４Ｓ１ｂの様に「ｂ」が添付されているものは、バックアップ用機材を意味している。
【００７６】
データベース２３０のテーブル２３ｎには、図３〜図８を元に各放送装置の動作時刻がリスト化され、予め放送装置の全てが登録、記憶されている。従って、ＣＰＵ２１は、このデータベース２３０から読み出したテーブル２３ｎから非動作中の放送装置（待機中の機材）を検索することにより、予め定めた時刻の範囲において、臨時サービスに適用可能な放送装置の候補をリストにして編集することが出来る。
【００７７】
図１０は、臨時サービスを実行する場合の放送装置の候補リストを一覧表にしたテーブル２３ｘである。  
ＣＰＵ２１が読み出した図９のテーブル２３ｎから放送装置の待機機材をテーブル２３Ｘの候補リストに編集する際の候補のプライオリティ（優先順位）は、例えば、動作時刻一覧表で利用頻度が低いＳＤ２サービス用の放送装置から先に候補とする。また、同じサービスで同じ機能のグループでは、動作時刻一覧表で待機時間が長い機材から、また、連続して使用可能な機材から先に利用するなどのプライオリティを設定することにより複数の機材を候補として選定しても良い。
【００７８】
また、当該時間にＳＤ２サービスの放送装置に待機機材が無い場合には、他のＳＤ１、ＨＤサービス系での待機機材を臨時サービスに利用するようにしても良く、その場合の待機機材は、バックアップ系として設定される機材のプライオリティを高くするようにすると良い。
【００７９】
例えば、１９：００〜２３：００の間で、テーブル２３ｎからテーブル２３ｘへ記載するＣＭバンク、ダウンコンバータ、符号化装置、スイッチャの候補を選んだ例を説明する。
【００８０】
ＨＤ／ＳＤ１、ＳＤ２サービスでは、臨時サービスが行われる時間は、図４〜図６に示される様に放送装置が利用されている。ＳＤ２サービスでは、放送装置（ＣＭバンク）４Ｓ１放送装置（ダウンコンバータ）４Ｓ２、符号化装置４ＳＳ、および放送装置（スイッチャ）ＳＷＳは、１９：００〜１９：３０と２３：００以降の放送に使用予定されている以外は、待機状態にある。
【００８１】
従って、１９：３０〜２２：３０は、これらのＳＤ２サービス用の機材が優先的に臨時サービス用に割り当てられている。
【００８２】
一方、目を転じて図１０を見てみると、ＣＭバンクを例に２２：３０以降の臨時サービス用の候補１位にリストされて居るのは、ＣＭバンク４Ｓ１ｂである。ＣＭバンク４Ｓ１は、２２：３０〜２３：００の間は放送予定が無いにも拘わらず、その時間は候補から外れている。
【００８３】
これは、ＳＤ２サービスでは、ＣＭバンク４Ｓ１が２３：００から使用されるので、その３０分前は、その放送開始準備の為に候補から外し、その２２：３０にはバックアップ機材であるＣＭバンク４Ｓ１ｂが優先的に採用されていることによる。他の放送装置についても、同様に臨時サービス用の放送装置の候補が選定されている。
【００８４】
次に、臨時サービス実行時のＡＰＣの処理概要を説明する。例えば、２１時に放送終了予定のＨＤサービスのスポーツ番組の映像放送が終了予定時刻になってもゲームが継続しているとする。そして、番組予定では、ＨＤサービスの報道番組に切り替わる放送予定であるが、報道番組と同時にスポーツ中継を臨時に継続して放送する臨時サービスが行われる場合を想定する。
【００８５】
ＡＰＣのオペレータは、入力部３からＳＣＰ２に対して、２１：３０まで中継車Ａのカメラ信号を臨時サービスとして放送し、また、臨時サービス用のＣＭバンクを準備するようスケジュール変更のコマンドやデータを入力する。そしてこれらのコマンド等は、ネットワーク７、又は接続ケーブル等を介してＳＣＰ２へ向けて送信される。
【００８６】
ＳＣＰ２は、ネットワーク７と通信Ｉ／Ｆ２２等を介してコマンド等を受信する。そして、内部バスを監視しているＣＰＵ２１は、そのコマンド等を判読し、臨時サービスが実施出来るよう放送装置の選択と、臨時サービス用の動作時刻表の修正処理を開始する。
【００８７】
ＳＣＰ２のＣＰＵ２１は、図１０のテーブル２３ｘを参照して、臨時サービス系の放送装置（ＣＭバンク）４Ｓ１、（ダウンコンバータ）４Ｓ２を選択する。また、臨時サービスが設定された場合、本来、報道番組は１８Ｍｂｐｓの符号化速度であるが、臨時サービスで８Ｍｂｐｓの標準映像（ＳＤ）の信号を出力するので、１８Ｍｂｐｓの帯域で収まるようにするため放送装置（符号化装置）４Ｈ１に符号化速度をその分下げて１８Ｍｂｐｓから１０Ｍｂｐｓとする修正を行う。
【００８８】
図４（ａ）、（ｂ）のテーブル２３では、ＨＤ／ＳＤ１サービスの番組コンテンツ自体は臨時サービス実施の前後でも変化は無い。しかし、図５（ｂ）では、臨時サービス時にはＨＤサービスの符号化速度が変わるので、ＨＤサービス用の放送装置（符号化装置）４ＨＣでは、２１：００から３０分間符号化速度が１０Ｍｂｐｓに変更されている。
【００８９】
また図６（ｂ）では、「○」で示されるように臨時サービスを行うために待機候補であったＳＤ２サービスのスイッチャＳＷＳが利用されていることが判る。
【００９０】
これら図４（ｂ）〜図６（ｂ）のテーブル化された動作時刻表は、ＣＰＵ２１によって常に局内時計６と同期して動作する時計２４を参照して読み出されている。そして、ＣＰＵ２１は、所定の放送時間に通信Ｉ／Ｆ２２とネットワーク７を介してＨＤ／ＳＤ１サービスと臨時サービスを行う制御信号を当該放送装置の動作制御を行うＲＴＰへ送信する事によって、通常のサービスと臨時サービスとが放送されるようにする。
【００９１】
図１１は、臨時サービスとしてＣＰＵ２１が作成編集した放送装置の動作時刻表である。  
図１１により、図１０のテーブル２３Ｘから読み出された候補の機材が採用され、臨時サービスは、ＳＤ２サービスの放送装置（ＣＭバンク）４Ｓ１、放送装置（ダウンコンバータ）４Ｓ２と、放送装置（符号化装置）４ＳＳとが用いられて放送されることが分かる。そしてＣＰＵ２１は、同じく採用された放送装置（スイッチャ）ＳＷＳへ向けて中継車Ａのカメラの信号出力と放送装置（ＣＭバンク）４Ｓ１の番組信号とを入力する制御信号を出力する。
【００９２】
そして、図１１では省略して書かれていないが、入力された信号のいずれかを放送装置（ダウンコンバータ）４Ｓ２へ出力（接続）する指示と、放送装置（ダウンコンバータ）４Ｓ２の映像信号の出力を放送装置（符号化装置）４ＳＳの入力を接続する制御信号も出力する。
【００９３】
また同時に、ＣＰＵ２１は、スイッチャＳＷＨとスイッチャＳＷＳとへ向けて臨時放送を追加するための制御信号を出力する。
【００９４】
図６（ａ）は、臨時サービスの予定がない場合のスイッチャＳＷＨの接続先を示しており、テーブル２３の左半分は、いわばスタジオ装置と呼ばれる放送装置間の接続を示し２１：００から３０分の間は、放送装置ＣＭバンク４Ｈ１からの信号が入力され、その入力信号を放送装置（符号化装置）４ＨＣ、４ＨＳの２つに分配出力している事を示している。
【００９５】
そして、テーブル２３の右半分は、送信器へ向けて放送装置からの信号を多重するＭＵＸ５の入力へ接続される放送装置を示し、２１：００から３０分の間はＭＵＸ５には放送装置（符号化装置）４ＨＣ、４ＨＳの２つからの信号が入力されている。
【００９６】
一方、臨時サービスが行われる場合のスイッチャの動作時刻表を示す図６（ｂ）では、スイッチャＳＷＳの動作が追加され、２１：００から３０分の間、放送装置（符号化装置）４ＳＳから出力される信号がＭＵＸ５へ追加接続されることが示されている。そして、ＭＵＸ５では、ＨＤ・ＳＤ１サービスと臨時サービスの番組信号が多重されて送信器へ向けて出力される。
【００９７】
図１２は、ＳＰＣ２のＣＰＵ２１の処理動作を説明するフローチャートである。  
以下、図１２により、図４〜図１１の動作時刻表または、テーブルを作成編集するＣＰＵ２１の処理動作を整理して説明する。
【００９８】
ＳＣＰ２のＣＰＵ２１は、ネットワーク７と通信インタフェース２２を介してＤＳ１から各周辺機器４の番組時刻表のデータを受信する（ステップｓ１）。そして各周辺装置４を構成する各サービスの放送装置の動作時刻表（図４（ａ）、図５（ａ）、図６（ａ）、図７、図８）のテーブル２３を作成する（ステップｓ２）。作成した動作時刻表から更に全放送装置の動作時刻一覧表、図９のテーブル２３ｎを編集作成する（ステップｓ３）。各放送装置の待機時間を検索して臨時サービス用の装置候補リスト（図１０）のテーブル２３ｘを編集作成する（ステップｓ４）。
【００９９】
ＣＰＵ２１は、ＳＣＰ２の内部バスを監視し、臨時サービスのコマンドやデータの入力が無い場合（ステップｓ５がＮｏ）、そのまま時計２４を参照し各放送装置の動作時刻表（図４（ａ）、図５（ａ）、図６（ａ）、図７、図８）のテーブル２３を読み出す。（ステップｓ６）。そして通常のサービスの放送番組信号を扱う放送装置を選択する（ステップｓ７）。そして、選択された各放送装置に接続、動作開始、終了の制御信号を送信する（ステップｓ８）。
【０１００】
一方、臨時サービスのコマンドやデータが入力された場合（ステップｓ５がＹｅｓ）、臨時サービス用装置を図１０のテーブル２３ｘの臨時サービス用装置リストから読み出す（ステップｓ９）。そして、臨時サービスの放送装置の動作時刻表図１１のテーブル２３を作成する（ステップｓ１０）とともに、例えば、臨時サービスに伴って必要なＲＴＰの様な各サービスの放送装置の動作時刻表（図５（ｂ）、図６（ｂ））のテーブル２３を修正する（ステップｓ１１）。
【０１０１】
ＣＰＵ２１は、時計２４を参照しその時刻の各放送装置の動作時刻表（図４（ｂ）、図５（ｂ）、図６（ｂ）、図７、図８、図１１）のテーブル２３を読み出し（ステップｓ６−１）、通常のサービス及び臨時サービスの放送番組信号を扱う放送装置を選択する（ステップｓ１２）。そして、選択された各放送装置に接続や動作の開始、終了を制御する制御信号を送信する（ステップｓ８）。
【０１０２】
そして、この制御信号を受信した各放送装置は、所定の接続により放送番組信号を入出力し、ＭＵＸ５を介して送信器に向けて通常のサービスと臨時サービスが多重された放送番組信号が送信される。
【０１０３】
以上の説明の如く、本発明の実施例に於けるＡＰＣ（自動番組送出制御設備）では、放送番組信号を扱う放送装置の動作時刻をテーブルにリスト化して管理することにより、デジタル放送の臨時サービス専用の放送装置を設備することなく、待機中の通常サービス用の放送装置を利用して臨時サービスが提供するので、スタジオ装置のコストを下げることが出来る。
【図面の簡単な説明】
【０１０４】
【図１】本発明の実施例に係り放送局のスタジオに設置されるデジタル放送の放送設備の機器系統図。
【図２】本発明の実施例に係るデジタル放送の放送設備の周辺機器を放送サービス系統毎にまとめた機能構成を示すブロック図。
【図３】ＳＣＰの機能構成を示すブロック図。
【図４】ＨＤ／ＳＤ１サービス系に主として使用される放送装置（ダウンコンバートとＣＭバンク）の動作時刻表のテーブル。
【図５】ＨＤ／ＳＤ１サービス系に主として使用される放送装置（符号化処理装置）の動作時刻表のテーブル。
【図６】スイッチャＳＷＨの動作時刻表のテーブル。
【図７】ＳＤ２サービス系に主として使用される放送装置の動作時刻表のテーブル。
【図８】ＳＤ２サービスの放送装置（符号化装置）の動作時刻表のテーブル。
【図９】全放送装置の動作時刻を一覧表にしたテーブル。
【図１０】臨時サービスを実行する放送装置の候補のリストのテーブル。
【図１１】臨時サービスに関わる放送装置の動作時刻表。
【図１２】ＳＰＣのＣＰＵの処理動作を説明するフローチャート。
【図１３】従来の放送局のスタジオに設置されるデジタル放送の放送設備の機器系統図。
【図１４】従来の各サービス系統にグループ化された放送設備の周辺機器の機能構成を示すブロック図。
【符号の説明】
【０１０５】
１  ＤＳ（データサーバ）
２  ＳＣＰ（放送スケジュール管理装置：Ｓｃｈｅｄｕｌｅ  Ｃｏｎｔｒｏｌ  Ｐｒｏｃｅｓｓｏｒ）
２１  ＣＰＵ
２２  通信インタフェース
２３  データベース
２３ａ〜２３ｎ  テーブル
２４  時計
３  入力部
４  周辺機器
５  多重伝送部（ＭＵＸ）
６  局内時計
７  ネットワーク
【図１】
2007053547.tif 000003
【図２】
2007053547.tif 000004
【図３】
2007053547.tif 000005
【図４】
2007053547.tif 000006
【図５】
2007053547.tif 000007
【図６】
2007053547.tif 000008
【図７】
2007053547.tif 000009
【図８】
2007053547.tif 000010
【図９】
2007053547.tif 000011
【図１０】
2007053547.tif 000012
【図１１】
2007053547.tif 000013
【図１２】
2007053547.tif 000014
【図１３】
2007053547.tif 000015
【図１４】
2007053547.tif 000016